(57)【要約】ＩＶライン並びにその関連づけられた流体源及び出力部の容易識別を可能にさせ、且つＩＶラインを他のＩＶライン並びにそれらの流体源及び出力部から見分けることを可能にさせるＩＶライン識別システムである。ＩＶライン識別システムは、無線接続を介して通信的に互いへ連結された第１の光源と第２の光源を含んでいる。それら光源は、一方が光信号を生成するように起動されたときに他方が自動的に起動されて対応する光信号を生成するように構成されている。それぞれの光源は、同じＩＶラインの各端の容易識別を可能にさせるためにＩＶラインの両端に設置されることができる【選択図】図３Ａ
2021516076.tif 000002
【特許請求の範囲】
【請求項１】
静脈内（ＩＶ）輸液ライン組立体であって、当該組立体は、
治療用流体を患者へ投与するための流体導管を有する細長部材であって、前記流体導管は当該細長部材の第１端と当該細長部材の第２端の間に流体連通を提供するように構成されている、細長部材と、
少なくとも前記細長部材の前記第１端近傍にて前記細長部材へ選択的に取り付け可能な第１の光部品と、
少なくとも前記細長部材の前記第２端近傍にて前記細長部材へ選択的に取り付け可能な第２の光部品と、
を備えている、組立体において、
前記第１の光部品と前記第２の光部品は、前記第１の光部品が光信号を提供するように起動されたときに前記第２の光部品も自動的に起動されて対応する光信号を提供するように動作的に互いへ連結されており、ここに、前記第１の光部品と前記第２の光部品は、ぞれぞれ、無線接続を介して通信的に互いへリンクされている第１の光源と第２の光源であり、前記第１の光源と前記第２の光源の少なくとも一方は、その光源を前記細長部材へ選択的に取り付け可能にすることのできる複数のクリップを含んでおり、前記複数のクリップの少なくとも１つは当該複数のクリップの残りから角度的にオフセットされている、組立体。
【請求項２】
前記無線接続は超高周波電波接続（例えば、Ｂｌｕｅｔｏｏｔｈ（登録商標））である、請求項１に記載の組立体。
【請求項３】
前記第１の光源と前記第２の光源の少なくとも一方は、作動されると前記第１の光源と前記第２の光源の両方の前記対応する光信号を起動するか又は動作停止にするように構成された手動スイッチを含んでいる、請求項１又は請求項２に記載の組立体。
【請求項４】
前記第１の光源と前記第２の光源のそれぞれは手動スイッチを含んでいる、請求項３に記載の組立体。
【請求項５】
前記第１の光源と前記第２の光源の少なくとも一方は、前記少なくとも一方の光源から取り外されるまでは当該少なくとも一方の光源の起動を防ぐように構成されたバッテリ保安器を含んでいる、請求項１から請求項４の何れか一項に記載の組立体。
【請求項６】
前記少なくとも一方の光源は、前記バッテリ保安器が取り外されると前記少なくとも一方の光源が始動プロセスを開始して前記他方の光源との無線通信リンクを確立させるように構成されている、請求項５に記載の組立体。
【請求項７】
前記第１の光源及び前記第２の光源は、約７２時間から１２０時間の持続時間にわたって光を提供するように構成されている、請求項１から請求項６の何れか一項に記載の組立体。
【請求項８】
前記組立体は、前記第１の光源及び前記第２の光源へ前記無線接続を介して通信的にリンクされたポンプ組立体であって手動スイッチを含んでいるポンプ組立体、を更に備えており、前記第１の光源及び前記第２の光源は、前記ポンプ組立体の前記手動スイッチが起動されるとそれぞれの光信号を提供するように構成されている、請求項１から請求項７の何れか一項に記載の組立体。
【請求項９】
前記ポンプ組立体は蠕動ポンプを含んでいる、請求項８に記載の組立体。
【請求項１０】
前記ポンプ組立体は、当該ポンプ組立体又は前記第１の光源又は前記第２の光源の何れか１つが起動されると前記第１の光源及び前記第２の光源の前記光信号に対応する光信号を生成するように構成されている、請求項８又は請求項９に記載の組立体。
【請求項１１】
前記ポンプ組立体は、前記第１の光源又は前記第２の光源の少なくとも一方に低バッテリ状態が検知されると可聴警報を提供することのできるスピーカーを含んでいる、請求項８から請求項１０の何れか一項に記載の組立体。
【請求項１２】
前記ポンプ組立体は、前記第１の光源及び／又は前記第２の光源を充電するために前記第１の光源及び／又は前記第２の光源を受け入れるための１つ又はそれ以上の充電ポートを含んでいる、請求項８から請求項１１の何れか一項に記載の組立体。
【請求項１３】
前記第１の光部品は光源であり、前記第２の光部品は、前記光源へ連結されていて前記光源から前記細長部材の前記第２端近傍の位置まで延びている光学部材である、請求項１に記載の組立体。
【請求項１４】
静脈内（ＩＶ）輸液ライン組立体であって、当該組立体は、
治療用流体を患者へ投与するための流体導管を有する細長部材であって、前記流体導管は当該細長部材の第１端と当該細長部材の第２端の間に流体連通を提供するように構成されている、細長部材と、
少なくとも前記細長部材の前記第１端近傍にて前記細長部材へ選択的に取り付け可能な第１の光部品と、
少なくとも前記細長部材の前記第２端近傍にて前記細長部材へ選択的に取り付け可能な第２の光部品と、
を備えている、組立体において、
前記第１の光部品と前記第２の光部品は、無線接続を介して動作的に互いへ連結されており、
前記第１の光源は、作動されると前記第１の光源を起動して前記第１の光源にて光信号を提供させるとともに少なくとも１つの追加の光源を自動的に起動して当該少なくとも１つの追加の光源にて対応する光信号を提供させるように構成されている手動スイッチ、を含んでおり、
前記第２の光源は、作動されると前記第２の光源を起動して前記第２の光源にて光信号を提供させるとともに前記少なくとも１つ追加の光源を自動的に起動して当該少なくとも１つの追加の光源にて対応する光信号を提供させるように構成されている手動スイッチ、を含んでいる、
組立体。
【請求項１５】
輸液ラインの両端の視覚的識別を提供するためのキットであって、当該キットは、
輸液ラインへ選択的に取り付け可能であるように適合された第１の光源であって、手動スイッチを有していて前記手動スイッチが起動されると光信号を生成するように構成されている第１の光源と、
輸液ラインへ選択的に取り付け可能であるように適合された第２の光源であって、手動スイッチを有していて前記手動スイッチが起動されると光信号を生成するように構成されている第２の光源と、
を備えている、キットにおいて、
前記第１の光源と前記第２の光源は、前記第１の光源と前記第２の光源のどちらかが光信号を提供するように起動されたときに他方も自動的に起動されて対応する光信号を提供するように無線接続を介して通信的に互いへ連結されており、それにより、前記第１の光源と前記第２の光源は、各光源が輸液ラインの両端にそれぞれ取り付けられたとき、前記輸液ラインの各端の視覚的識別を可能にさせ、ここに、前記第１の光源と前記第２の光源は無線接続を介して通信的に互いへリンクされており、前記第１の光源と前記第２の光源の少なくとも一方はその光源を前記細長部材へ選択的に取り付け可能にすることのできる複数のクリップを含んでおり、前記複数のクリップの少なくとも１つは当該複数のクリップの残りから角度的にオフセットされている、
キット。
【請求項１６】
前記キットは、前記第１の光源及び前記第２の光源へ前記無線接続を介して通信的にリンクされたポンプ組立体であって手動スイッチを含んでいるポンプ組立体、を更に備えており、前記第１の光源及び前記第２の光源は、前記ポンプ組立体の前記手動スイッチが起動されると各自それぞれの光信号を提供するように構成されている、請求項１５に記載のキット。
【請求項１７】
前記第１の光源と前記第２の光源の少なくとも一方は、前記少なくとも一方の光源から取り外されるまでは当該少なくとも一方の光源の起動を防ぐように構成されたバッテリ保安器を含んでおり、前記少なくとも一方の電源は、前記バッテリ保安器が除去されると前記少なくとも一方の電源が始動プロセスを開始して他方の光源との無線通信リンクを確立させるように構成されている、請求項１５又は請求項１６に記載のキット。
【請求項１８】
輸液ラインの両端の視覚的識別を提供するためのキットであって、当該キットは、
輸液ラインへ選択的に取り付け可能であるように適合された第１の光源であって、手動スイッチを有していて前記手動スイッチが起動されると光信号を生成するように構成されている第１の光源と、
輸液ラインへ選択的に取り付け可能であるように適合された第２の光源であって、手動スイッチを有していて前記手動スイッチが起動されると光信号を生成するように構成されている第２の光源と、
ライトと手動スイッチを含むポンプ組立体であって、当該ポンプ組立体の前記手動スイッチが起動されると光信号を生成するように構成されているポンプ組立体と、
を備えている、キットにおいて、
前記第１の光源と前記第２の光源と前記ポンプ組立体のそれぞれは、無線接続を介して通信的に互いへ連結されていて、以下のように構成されており、つまり、
前記第１の光源が光信号を提供するように起動されたときに、前記第２の光源及び前記ポンプ組立体も自動的に起動されて対応する光信号を提供するように、
前記第２の光源が光信号を提供するように起動されたときに、前記第１の光源及び前記ポンプ組立体も自動的に起動されて対応する光信号を提供するように、及び、
前記ポンプ組立体が光信号を提供するように起動されたときに、前記第１の光源及び前記第２の光源も自動的に起動されて対応する光信号を提供するように、構成されており、
それにより、それぞれが輸液ラインの異なる区分へ個々に取り付けられたときの当該輸液ラインの異なる区分の視覚的識別を可能にさせる、
キット。
【請求項１９】
輸液ラインを識別可能にするべく当該輸液ラインを変更する方法であって、当該方法は、
輸液ラインを提供する段階と、
前記輸液ラインへ選択的に取り付け可能であるように適合された第１の光源であって、手動スイッチを有していて当該手動スイッチが起動されると光信号を生成するように構成されている第１の光源を提供する段階、及び、
前記輸液ラインへ選択的に取り付け可能であるように適合された第２の光源であって、手動スイッチを有していて当該手動スイッチが起動されると光信号を生成するように構成されている第２の光源を提供する段階であって、
ここに、前記第１の光源と前記第２の光源は、無線接続を介して動作的に互いへ連結されていて、以下の様に構成されており、つまり、
前記第１の光源が光信号を提供するように起動されたときに、前記第２の光源も自動的に起動されて対応する光信号を提供するように、及び、
前記第２の光源が光信号を提供するように起動されたときに、前記第１の光源も自動的に起動されて対応する光信号を提供するように、構成されている、第１の光源を提供する段階、及び第２の光源を提供する段階と、
前記第１の光源を前記輸液ラインの第１端へ、前記第２の光源を前記輸液ラインの第２端へ取り付ける段階と、
前記第１の光源の前記手動スイッチ又は前記第２の光源の前記手動スイッチを起動して、前記第１の光源と前記第２の光源の両方を起動させる段階と、
を備えている方法。
【発明の詳細な説明】
【技術分野】
【０００１】
（関連出願の相互参照）
本願は、いずれも「輸液ラインシステム」（ＩＮＦＵＳＩＯＮ  ＬＩＮＥ  ＳＹＳＴＥＭＳ）と題された２０１８年２月２２出願の米国特許出願第１５／９０２，６８２号であって現在の米国特許第１０，０６４，９９１号及び２０１８年８月２日出願の米国特許出願第１６／０５３，４９５号に対する優先権を主張し、それら特許出願及び特許それぞれの開示をここに参考文献としてそっくりそのまま援用する。
【０００２】
本開示は、概括的には、薬、流体、及び／又は栄養分の静脈内投与のためのシステムに関する。より具体的には、開示は、薬、流体、及び／又は栄養分を静脈内投与するのに使用される幾本かの静脈内ラインのそれぞれを明確に識別するためのシステム及びデバイスに関する。
【背景技術】
【０００３】
病院の環境では、患者が、液状薬、流体、及び栄養分（以下、総称的に「治療用流体」と称する）を、静脈内ライン（以下、「ＩＶライン」と称する）を介して投与されることが多い。一般に、ＩＶラインは、一方の端を流体源に接続され、もう一方の端を患者の血管／動脈へのアクセスを提供する針又はポートへ接続された可撓性プラスチック管材から成る。一人の患者へ幾つかの治療用流体を一度に送達するために、それぞれが異なる流体源へ接続された複数のＩＶラインが同時に使用されることは珍しくない。また、複数の隣接する針が患者の腕を通って走る上腕静脈内へのアクセスを提供しているといった様に、針同士又はポート同士が互いに隣接して位置づけられることも珍しくない。
【０００４】
ＩＶラインの同時使用は数多くの恩恵をもたらすことができるが、幾つかの課題に直面することもある。例えば、一人の患者へ複数の治療用流体を投与するのに複数のＩＶラインが使用されるとき、１本のＩＶラインを別のＩＶラインから容易に識別するのが煩雑になったり困難になったりする可能性がある。この様に、或る特定の治療用流体源及び対応する治療用流体出力部を別の投薬源及びその対応する治療用流体出力部と対比して素早く正確に識別するのが難しいこともあり得る。この問題は、静脈内ラインのそれぞれがパッケージ化された構成へ輪を作っていて、その結果、他のＩＶラインと絡み合ったりベッドシーツや衣類の下で絡み合ったりする傾向によって悪化する。
【０００５】
緊急事態では特定の治療用流体源の迅速な識別が要求されることが往々にしてある。例えば、複数のＩＶラインへつながれた患者が、それらＩＶラインの１つを通して現在提供中ではない治療用流体の緊急静脈内投与を必要としているときには、当該の治療用流体を直ちに提供することが必須である。治療用流体を注入できる血管の場所を速やかに突き止めることができない場合、既に治療用流体を投与中であるＩＶラインを通して薬物を提供するのが一般的な実践である。新しい治療用流体を投与するのに現存のＩＶラインを使用するというこの実践は、緊急事態でなくとも一般的である。但し、薬物を投与する人は、新しい治療用流体が投与されるのに通るＩＶラインが、新しい治療用流体と適合性のある治療用流体を担持していることに確信を持てなくてはならない。新しい治療用流体がＩＶラインを通して注入される場合で、ＩＶラインを通って既に流れている治療用流体が新しい治療用流体と適合性がないという場合、深刻な結果が起こらないとも限らない。例えば、既にリドカインが流れているＩＶラインの中へヘパリンが注入された場合、患者にとって危険となり得るフレーク状の沈殿物が混合物中に形成されるだろう。同様に、共通のＩＶライン内でインスリンを所定の化学療法薬物と混合することは患者にとって極めて危険であり得る。
【先行技術文献】
【特許文献】
【０００６】
【特許文献１】国際公開第２０１１／１２７０４３号
【発明の概要】
【発明が解決しようとする課題】
【０００７】
複数のＩＶライン並びにそれらの関連づけられた流体源及び出力部同士を区別することが難しいことと、適合性のない治療用流体同士が同じＩＶラインを通して注入された場合に起こり得る潜在的に生命を脅かす可能性があることを受けて、個々のＩＶライン並びにそれらの関連づけられた流体源及び出力部の容易で正確な識別を可能にさせるデバイス及びシステムの必要性が存在する。
【課題を解決するための手段】
【０００８】
或る実施形態では、静脈内輸液ライン組立体が、細長部材と光学部材とを含んでいる。細長部材は、細長部材の第１端と細長部材の第２端の間に流体連通を提供することによって治療用流体を患者へ投与するための流体導管を有している。光学部材は、少なくとも部分的に細長部材へ付着されていて、光を光学部材内で内部反射させるように少なくとも部分的に光透過性である。
【０００９】
別の実施形態では、静脈内輸液ライン識別システムが、治療用流体を患者へ投与するための静脈内療法システムと光源とを含んでいる。静脈内療法システムは、治療用流体入力部及び治療用流体出力部を細長部材及び光学部材と共に含んでいる。細長部材は、治療用流体入力部から治療用流体出力部への流体連通を提供する。光学部材は、少なくとも部分的に細長部材へ連結されていて、光を光学部材内で内部反射させるように少なくとも部分的に光透過性である。幾つかの構成では、光学部材は、少なくとも部分的に細長部材へ複数の剛性締結具／クランプを用いて連結されている。光源は、光学部材へ選択的に連結可能であり、光を光学部材の中へ提供するように構成されている。幾つかの構成では、光源は細長部材へ複数のクリップを用いて選択的に取り付け可能である。
【００１０】
更に別の実施形態では、治療用流体を患者へ投与するのに使用される輸液ラインを識別する方法が、光学部材を有する輸液ラインを提供する段階と、光源を光学部材に隣接して位置決めする段階と、光源からの光を光学部材の中へ方向決めする段階と、を含んでいる。光学部材は、光の少なくとも第１の部分を光学部材内で内的に反射させるように構成されている。
【００１１】
別の実施形態では、静脈内輸液ライン識別システムが、無線接続を介して通信的に互いへ連結された第１の光源と第２の光源を含んでいる。光源は、一方が光信号を生成するように起動されたときに他方が自動的に起動されて対応する光信号を生成するように構成されている。各光源は輸液ラインの両端に設置されて、同じ輸液ラインの各端の容易識別が可能になるようにし、それにより輸液ラインの誤った識別及び／又は輸液ラインの一方の端と異なる輸液ラインの別の端との誤った関連づけを防止できるようにする。
【００１２】
本発明のこれら及び他の目的並びに特徴は、以下の説明及び付随の特許請求の範囲からより完全に明らかにもなれば以下に示される発明の実践によって知られもしよう。
【００１３】
本発明の上記及び他の利点並びに特徴をいっそう明確にするために、本発明のより具体的な説明が、添付図面に描かれている発明の特定の実施形態を参照しながら与えられることになる。これらの図面は、発明の例示とされる実施形態のみを描写しており、したがってその範囲を限定するものと考えられてはならない、ということが理解される。本発明は、添付図面の使用を通じて追加の特異性及び詳細と共に説明され、解説される。
【図面の簡単な説明】
【００１４】
【図１】本開示による静脈内（「ＩＶ」）輸液ライン組立体の或る実施形態であって、第１の光部品が光源であり、第２の光部品が光学部材であり、光学部材は第１の光部品と第２の光部品の両方が同期の視覚的識別子を提供するように動作的に光源へ連結されている、という実施形態の概略図を示している。
【図２】本開示による図１のＩＶ輸液ライン組立体の実施形態の横断面図を描いている。
【図３Ａ】本開示によるＩＶ輸液ライン組立体の或る実施形態の斜視図を描いている。
【図３Ｂ】本開示によるＩＶ輸液ライン組立体の或る実施形態の上面図を描いている。
【図３Ｃ】本開示によるＩＶ輸液ライン組立体の或る実施形態の右側面図を描いている。
【図３Ｄ】本開示によるＩＶ輸液ライン組立体の或る実施形態の断面前面図を描いている。
【図３Ｅ】本開示によるライン締結具の斜視図を描いている。
【図３Ｆ】本開示によるライン締結具の前面図を描いている。
【図３Ｇ】本開示によるライン締結具の後面図を描いている。
【図３Ｈ】本開示によるライン締結具の底面図を描いている。
【図３Ｉ】本開示によるライン締結具の上面図を描いている。
【図３Ｊ】本開示によるライン締結具の右側面図を描いている。
【図３Ｋ】本開示によるライン締結具の左側面図を描いている。
【図４】本開示によるＩＶ輸液ライン識別システムの或る実施形態の側面図である。
【図５】本開示による光源の或る実施形態の分解斜視図を描いている。
【図６】本開示による図４のＩＶ輸液ライン識別システムの実施形態の部分破断側面図である。
【図７Ａ】本開示による光源の或る実施形態を描いている。
【図７Ｂ】本開示による図７Ａの光源の実施形態の側面図を描いている。
【図８】本開示によるＩＶ輸液ライン識別システムの別の実施形態の側面図である。
【図９Ａ】本開示による図８のＩＶ輸液ライン識別システムの実施形態の部分破断側面図である。
【図９Ｂ】本開示による図８のＩＶ輸液ライン識別システムの実施形態の部分破断端面図である。
【図１０Ａ】本開示によるＩＶ輸液ラインの別の実施形態の横断面図である。
【図１０Ｂ】本開示による図１０ＡのＩＶ輸液ラインの実施形態の縦断面図である。
【図１１】本開示による、インラインフィルタを用いたＩＶ輸液ラインの或る実施形態の側面図である。
【図１２】本開示による、インラインロータリーポンプを用いたＩＶ輸液ラインの或る実施形態の側面図である。
【図１３】輸液ライン識別システムの別の実施形態であって、第１の光部品が光源であり、第２の光部品も光源であり、光源同士は第１の光部品と第２の光部品の両方が同期の視覚的識別子を提供するように動作的に互いへ連結されている、という実施形態を描いている。
【図１４】ポンプ組立体の追加された図１３の輸液ラインシステムの或る実施形態を描いている。
【図１５】図１３のシステムの光源の詳細図である。
【発明を実施するための形態】
【００１５】
ここに説明される実施形態は、静脈内（「ＩＶ」）輸液ラインの識別のための方法、デバイス、システム、組立体、及び装置に及ぶ。それらは、例えば、適合性のない治療用流体同士が単一のＩＶ輸液ラインを通して誤って注入されるのを防ぐために単純で効率的な方式で１本の輸液ラインを別の輸液ラインから高信頼度に識別することを可能にさせるように構成されている。ここに説明されるＩＶ輸液ライン識別システムは、現行の臨床方法及び／又は臨床機器への多大な変更なしに、誤って識別された輸液ラインの数を減らすことができるだろう。
【００１６】
これより、本発明の例示としての実施形態の様々な態様を説明するのに図面を参照してゆく。理解しておくべきこととして、図面は、その様な例示としての実施形態の図表的表現及び模式的表現であり、本発明を限定するものではなく、何れかの特定の要素が全ての実施形態にとって不可欠であると考えられてはならず、また要素が何れかの特定の順序又は方法で組み立て又は製造されると考えられてはならない。したがって、何れかの要素の必要性に関しては、如何なる推論も図面から引き出されてはならない。以下の説明では、本発明の十分な理解を提供するために多数の特定の詳細事項が示されている。しかしながら、本発明がこれらの特定の詳細事項なしに実施され得るということが、当業者には自明であろう。他の場合において、ＩＶライン及び関係づけられたデバイス及び方法の既知の態様、一般的な製造技法などは、本発明の新規性のある態様を不必要にあいまいにすることを避けるためにここでは詳細に説明されない。
【００１７】
図１から図１２及び次の論考は、本発明の諸実施形態が実施され得る例示としてのデバイスの簡単な全般的説明を提供することを意図している。治療用流体を投与するためのＩＶ治療装置が以下に説明されているが、これは、本発明に対する１つの単一の例示としての適用でしかなく、本発明の諸実施形態は、医療分野と他の技術分野の両方の分野内の他の適用で実施されることもできる。したがって、明細書及び特許請求の範囲全体を通しての「ＩＶライン」、「ＩＶバッグ」、「ポンプ」、「針」、「ポート」、「ＩＶ療法システム」などの様な医療デバイス及び医療システムへの言及は、個別に識別され且つここに説明される他の類似の品目から個別に区別される必要のありそうな何れの型式の品目にも広く適用されるものとする。
【００１８】
また、ＩＶ療法システムの諸実施形態が示され説明されてはいるが、これらは単に例示としての実施形態であることを理解しておきたい。これらの例示としての実施形態の種々の素子は、除外されることもあれば、当該技術分野において知られ使用されている他の素子と置き換えられることもできる。限定するわけではないが一例として、例示としての実施形態の幾つかは、ＩＶバッグ、ポンプ、及びコネクタを含んでいる。これらの素子のそれぞれは、省かれることもできれば他の素子と置き換えられることもできるだろう。例えば、様々な型式のポンプがシステムと共に使用されてもよいし、又はシステムではポンプが全く使用されないということもあるだろう。同様に、ＩＶバッグやＹコネクタ以外にも様々な型式の流体源やコネクタが採用されることもできるだろう。
【００１９】
図１を参照すると、治療用流体を患者へ投与する際に使用するためのＩＶ輸液ライン組立体１００が示されている。ＩＶ輸液ライン組立体１００は、細長部材１０２をそれへの流体導管と共に含んでいる。流体導管は、生理食塩水、薬、又は栄養分の様な、１つ又はそれ以上の治療用流体のための流体連通を提供することができる。ＩＶ輸液ライン組立体１００は、少なくとも部分的に細長部材１０２へ付着されている光学部材１０４を含んでいる。光学部材１０４は、少なくとも部分的に光透過性であり、光が光学部材１０４を通過できるようにしている。
【００２０】
幾つかの実施形態では、細長部材１０２は、治療用流体入力部１０６及び治療用流体出力部１０８を有していてもよい。治療用流体入力部１０６は、細長部材が、ＩＶバッグ、ガラス瓶、プラスチックボトル、シリンジ、又は他の無菌貯留部の様な、治療用流体の貯留部へ接続できるようにしている。細長部材１０２の反対側の端には、治療用流体出力部１０８がある。治療用流体出力部は、細長部材１０２が患者への流体連通を提供することができるように、細長部材１０２を針やポートの様なアクセスデバイス（図示せず）に接続するように構成されている。
【００２１】
光学部材１０４は、第１端１１０及び第２端１１２を有している。幾つかの実施形態では、第１端１１０は細長部材１０２の治療用流体入力部１０６に近接して位置し、第２端１１２は細長部材１０２の治療用流体出力部１０８に近接して位置している。細長部材１０２と光学部材１０４の少なくとも一部分は互いに対して固定されている。細長部材１０２と光学部材１０４は可撓性であり、よって光学部材１０４と細長部材１０２は一方又は他方が動かされるのに合わせて動くことができる。幾つかの実施形態では、光学部材１０４の全体長さが細長部材１０２へ固定されている。他の実施形態では、光学部材１０４の全体長さより少ない部分が細長部材１０２へ固定されている。幾つかの実施形態では、光学部材１０４の第１端１１０が細長部材１０２へ固定され且つ第２端１１２が細長部材１０２へ固定されている。
【００２２】
光学部材１０４は、光が光学部材１０４を通過するのを及び／又は光が光学部材によって伝達されるのを許容するように光透過性であってよい。幾つかの実施形態では、光学部材１０４は、範囲の上の値又は範囲の下の値又は範囲の上の値と下の値が４０％、４５％、５０％、５５％、６０％、６５％、７０％、７５％、８０％、８５％、９０％、９５％、又はそれらの間の何れかの値のうちの何れかを含んでいる範囲の可視波長透過率を有していてもよい。例えば、光学部材１０４は、４０％を超える可視波長透過率を有していてもよい。他の実施例では、光学部材１０４は、９５％未満の可視波長透過率を有していてもよい。更に他の実施例では、光学部材１０４は、４０％から９５％の間の透過率を有していてもよい。更なる実施例では、光学部材１０４は、５０％から９０％の間の透過率を有していてもよい。
【００２３】
幾つかの実施形態では、光学部材１０４は光ファイバーケーブルであってもよい。例えば、光学部材１０４の第１端１１０にて提供される光の少なくとも一部が光学部材１０４の第２端１１２へ搬送されるようになっていてもよい。光は、第１端１１０から第２端１１２へ内部屈折を介して搬送されてもよい。例えば、光学部材１０４は、第１の屈折率を有し、空気の様な周囲環境は第１の屈折率より小さい第２の屈折率を有しているとしてもよい。光は、少なくとも一部には第１の屈折率と第２の屈折率の関係に依存する臨界角より小さい角度で光学部材１０４の表面から屈折しながら光学部材１０４の内部に沿って長手方向に伝搬してゆくだろう。幾つかの実施形態では、光学部材１０４は、１．５より大きい屈折率を有していてもよい。他の実施形態では、光学部材１０４は、１．８より大きい屈折率を有していてもよい。更に他の実施形態では、光学部材１０４は、２．０より大きい屈折率を有していてもよい。
【００２４】
幾つかの実施形態では、光学部材１０４は、少なくとも光の一部を長手方向に（即ち、第１端１１０から第２端１１２へ、又はその逆に）搬送するように構成されていてもよい。光学部材１０４は、少なくとも光の一部を第１端１１０と第２端１１２の間で横断方向に（即ち、長手方向を横断する方向に）放射するように構成されている。例えば、光が光学部材１０４の第１端１１０にて提供されたとき、少なくとも光の１０％が光学部材１０４の長さに沿って横断方向に放射される。他の実施例では、光が光学部材１０４の第１端１１０にて提供されたとき、少なくとも光の２０％が光学部材１０４の長さに沿って横断方向に放射される。更に他の実施例では、光が光学部材１０４の第１端１１０にて提供されたとき、少なくとも光の３０％が光学部材１０４の長さに沿って横断方向に放射される。少なくとも１つの実施例では、光が光学部材１０４の第１端１１０にて提供されたとき、少なくとも光の５０％が光学部材１０４の長さに沿って横断方向に放射される。
【００２５】
図２は、図１のＩＶ輸液ライン組立体１００の横断面図を示している。細長部材１０２は、外面１１４と内面１１６とを有している。内面１１６は、中を通して流体連通を提供するように細長部材を長手方向に貫いて延びる導管１１８を画定している。流体１２０は、貯留部から患者へ提供される治療用流体であってもよい。
【００２６】
幾つかの実施形態では、光学部材１０４は、その長さに沿って均一であってもよい。他の実施形態では、光学部材１０４は、図２に示されている様に、光学部材１０４に埋め込まれた複数の散乱要素を含み、それを通って伝達される光を散乱させ光学部材１０４の側壁を通して光を放射するようにしている。
【００２７】
幾つかの実施形態では、光学部材１０４は、少なくとも部分的に細長部材１０２の外面１１４へ付着されていてもよい。例えば、光学部材１０４は細長部材１０２の外面１１４へ、複数の締結具又はクランプを用いて付着されていてもよい。他の実施例では、光学部材１０４は外面１１４へ、両者の間に配置された接着剤を用いて接着されていてもよい。更に他の実施例では、光学部材１０４は、光学部材１０４及び／又は細長部材１０２を部分的に溶融させて光学部材１０４と細長部材１０２の材料を結着させるなどによって、直接的に細長部材１０２へ結着されていてもよい。光学部材１０４と細長部材１０２は、超音波溶接によって、摩擦溶接によって、外部の源から熱を加えることによって、又は他の部分的溶融方法によって、一体に決着されてもよい。諸実施形態は、少なくとも部分的に光学部材１０４を細長部材１０２の外面１１４へ付着させるための前記手段又は他の手段の何れかの組合せを含んでいてもよい。
【００２８】
図３Ａから図３Ｄは、光学部材１０４が少なくとも部分的に細長部材１０２へ複数のライン締結具１３０（ここでは「剛性クランプ」とも称する）を用いて連結されている、図１のＩＶ輸液ライン組立体１００の或る実施形態の様々な図を描いている。本明細書での使用に際し、「剛性クランプ」は、それらが光学部材１０４及び細長部材１０２になじみ光学部材１０４と細長部材１０２を締結するための可動部分を必ずしも必要としないという点で「剛性」である。ゆえに、「剛性クランプ」は、それらが作られる材料（例えば、適切なポリマー又は金属材料）に固有の或る量の可撓性を含んでいることになる。
【００２９】
剛性クランプ１３０は、第１の開口部１３１及び第２の開口部１３２を含み、開口部はそれぞれが光学部材１０４と細長部材１０２を受け入れるように適合されている。剛性クランプ１３０は、光学部材１０４を取り外し可能に固定するよう適合された第１の溝１４０を有している。剛性クランプ１３０は、更に、第２の溝１４１及び第３の溝１４２を有し、それらは縦列に並んで細長部材１０２を取り外し可能に固定するように適合されている。例えば、使用者は、光学部材１０４と細長部材１０２を、それぞれの開口部１３１と開口部１３２を通して輪にしてもよいし、光学部材１０４を第１の溝１４０内に位置決めしてもよいし、細長部材１０２を第２の溝１４１及び第３の溝１４２内に位置決めしてもよい。
【００３０】
配置の１つでは、剛性クランプ１３０同士は、ＩＶ輸液ライン組立体１００の長さに沿って約６〜８インチ（約１５．２〜２０．３センチメートル）間隔を空けられている。約６〜８インチ（約１５．２〜２０．３センチメートル）の間隔取りは現時点での好適な構成であるが、他の構成としては、より密な間隔取り（例えば、ＩＶ輸液ライン組立体１００の長さに沿って剛性クランプ１３０同士の間に２分の１インチ（１．２７センチメートル）の空き）、より疎な間隔取り（例えば、ＩＶ輸液ライン組立体１００の長さに沿って剛性クランプ１３０同士の間に１４インチ（３５．６センチメートル）の空き）、不均一間隔の配置（例えば、ＩＶ輸液ライン組立体１００の長さに沿って剛性クランプ１３０同士の間に可変間隔を用いる）等々が挙げられる。
【００３１】
図３Ｅから図３Ｋは、例示としての剛性クランプ１３０の追加の図を示している。描かれている実施形態では、第１の溝１４０は、第２の溝１４１及び第３の溝１４２よりも小さい直径を有している。その様な構成は、相対的に小さい光学部材１０４が第１の溝１４０と係合する一方で、相対的に大きい細長部材１０２が第２の溝１４１及び第３の溝１４２と係合することを可能にさせて好都合である。他の実施形態では、溝の大きさは、細長部材及び／又は光学部材の対応する大きさに従って調節されてもよい。幾つかの実施形では、細長部材１０２と光学部材１０４の位置が逆転されることもあるだろう。他の実施形態は、光学部材１０４を少なくとも部分的に細長部材１０２へ連結するのに追加的に又は代替的に他の型式の締結具又はクランプ（例えば、ばね仕掛けのクランプ、ヒンジ式留め金）を使用することもできる。
【００３２】
幾つかの実施形態では、細長部材１０２と光学部材１０４の間の接続は、使用者によって破断可能であってもよい。例えば、インラインフィルタ、ロータリーポンプの使用を許容するために、又は使用者によって必要とされる他のデバイスの接続を可能にするために、細長部材１０２と光学部材１０４との間の接続部の長手方向長さの少なくとも一部分が破断される（例えば、細長部材１０２と光学部材１０４が引っ張られて互いから隔てられる）ようになっていてもよい。
【００３３】
例えば、図４は、光源２２２を光学部材２０４へ接続できるようにするために光学部材２０４の少なくとも一部分を細長部材２０２から枝分かれさせたＩＶ輸液ライン組立体２００を有するＩＶ輸液ライン識別システムの或る実施形態を描いている。光源２２２は、滅菌処理（ガンマ線放射、エチレンオキシドガス）に先立ってＩＶ輸液ライン組立体２００へ連結されてもよい。代替的に、光源２２２は、複数のＩＶ輸液ライン組立体２００相手に再使用可能なポータブル式光源であってもよい。例えば、医師、臨床看護師、医師助手などの様な使用者は、ここに説明されている光源２２２を携え、光源を一人の患者への複数のＩＶ輸液ライン組立体２００相手に又は複数の患者相手に使用することもできる。しかしながら、典型的には、光源２２２は、システムを無菌のすぐに使用できる状態で使用者へ提供できるように滅菌に先立ってＩＶ輸液ライン組立体２００へ連結されることになるだろう。
【００３４】
光源２２２は、光学部材２０４へ光を提供するために光学部材２０４へ選択的に連結されるようになっていてもよい。光源２２２は、再充電式バッテリ及び／又は交換式バッテリの様なアウトボード電源を含み、光源２２２が使用者と共に携行されることを可能にしていてもよい。他の実施形態では、光源２２２は、光源２２２を外部電源へ接続できるようにする１つ又は複数のコネクタを有していてもよい。光源２２２は、光学部材２０４の長手方向の長さに沿って光学部材２０４を照らすために、光学部材２０４の第１端２１０へ光を提供してもよい。他の実施形態では、光源２２２は、光学部材２０４の第２端（例えば、図１に示す第２端１１２）へ光を提供し、光学部材２０４の長手方向の長さに沿って光学部材２０４を照らすようになっていてもよい。
【００３５】
図５は、図４の光源２２２の実施形態の分解図を描いている。光源２２２は、Ｏリング２５１を受け入れるためのＯリングスロット２５０を含んでいる。Ｏリング２５１は、光学部材２０４と光源２２２の間の選択的連結を提供するために、光学部材２０４を取り外し可能に固定するように適合されている。他の実施形態は、光学部材２０４と光源２２２の間の選択的連結を有効にするための他の手段（例えば、摩擦嵌め、接着剤、クランプ）を追加的又は代替的に使用することもできる。
【００３６】
幾つかの実施形態では、光源２２２は、描かれている押しボタン２４０の様な使用者操作型の手動スイッチによって起動されるようになっていてもよい。使用者操作式手動スイッチは現時点で好適な実施形態であるが、他の実施形態としては、図６に関して後述される様に、光学部材２０４が光源２２２に連結され次第、自動的に光源２２２を起動するためのシステムが挙げられる。図６は、図４の光源２２２の１つの随意的な構成であって、光源２２２を自動的に作動させるためのセンサを（例えば、手動スイッチの代替として）含む構成の断面図を描いている。光源２２２は、光源２２２内の空洞２２６に隣接して位置づけられた発光ダイオード（「ＬＥＤ」）２２４、電球、レーザーダイオード、又は他の光子源を有していてもよい。空洞２２６は、空洞２２６の側面に位置づけられたセンサ２２８を有していてもよい。センサ２２８は、空洞２２６内に位置づけられた光学部材２０４の存在を感知するように構成されることができる。このセンサ２２８は、空洞２２６内に光学部材２０４の第１端２１０（又は第２端）の存在を感知し次第、ＬＥＤ２２４への電気を許容するように動作可能にＬＥＤ２２４へ連結されている。換言すると、光源２２２は、使用者が光学部材２０４の一部分を光源２２２の中へ挿入したときに光学部材２０４へ光を提供するのである。幾つかの実施形態では、ＬＥＤ２２４は空洞２２６の後端２３０に位置づけられていてもよい。他の実施形態では、ＬＥＤ２２４は空洞２２６に対する他の向きに位置づけられていてもよい。
【００３７】
センサ２２８は、光学部材２０４との機械的接触を介して光学部材２０４を感知するスイッチ、トグル、又はボタンの様な物理的センサであってもよい。他の実施形態では、センサ２２８は、赤外線センサ、ＵＶセンサ、レーザーセンサ、又は光学部材２０４と放射信号の間の干渉を介して光学部材２０４を感知する他のセンサの様な光学センサであってもよい。
【００３８】
図７Ａ及び図７Ｂは、別の実施形態の光源７２２を描いている。光源７２２は、以下に指摘されていることを別にすれば、図４の光源２２２と同様の様式に構成されることができる。光源７２２は、第１の方向に面する第１の開口部７７１を有する第１のクリップ７６１、第１の方向とは反対側の第２の方向に面する第２の開口部７７２を有する第２のクリップ７６２、及び第１の方向に面する第３の開口部７７３を有する第３のクリップ７６３という手段によって細長部材７０２へ選択的に付着可能になっていてもよい。他の実施形態は単一のクリップを使用するものもある。その様な実施形態では、単一のクリップは、光源７２２の長さのほぼ大半にわたって延びていてもよい。他の実施形態は、複数のクリップ（少なくとも１つは他の１つとは反対の方向に面している）、同じ方向に面した開口部を有する複数のクリップ、チャネル溝、複数のチャネル溝、又は光源７２２を細長部材７０２へ選択的に付着可能にするための他の構造的構成、を含んでいてもよい。
【００３９】
描かれている実施形態では、クリップ７６１、７６２、及び７６３は、光源７２２が細長部材７０２へ連結されるときに接続を提供するのに十分な光源７２２の長さにわたって広がるように配置される。例えば、第１のクリップ７６１と第３のクリップ７６３の間の距離は、光源７２２の全体長さの約５０％から約８０％とすることができる。
【００４０】
ここに説明されている他の実施形態と同じく、光源は、第１の光部品として、細長部材７０２及び光学部材（この図には示さず）の第１端近傍（例えば、流体入力部近傍）に位置づけられ、第２の光部品として、細長部材７０２の第２端近傍（例えば、流体出力部近傍）に延在し及び位置付けられていてよい。第１の光部品が細長部材７０２の第１端にて光信号を生成するように起動されたときに対応する光信号が第２の光部品によって細長部材７０２の第２端にて生成されることになるように、第１の光部品と第２の光部品は動作可能に互いへ連結されている。
【００４１】
図８は、光学部材３０４の第１端３１０が細長部材３０２へ連結されているＩＶ輸液ライン組立体３００を有するＩＶ輸液ライン識別システムの別の実施形態を描いている。光源３２２は、光学部材３０４の端と細長部材３０２を連結解除しなくても、細長部材３０２と光学部材３０４の上へ横断方向から接続して光学部材３０４の第１端３１０（又は第２端）へ光を提供するように構成されている。
【００４２】
図９Ａ及び図９Ｂは、図８の光源３２２の実施形態の詳細図を示している。図９Ａは、光源３２２内に位置づけられたＩＶ輸液ライン組立体３００の断面側面図を示している。図９Ａ及び図９Ｂに示されている光源３２２の空洞３２６は、細長部材３０２が光源３２２を通って延びるのを許容する一方で光学部材３０４を光源３２２内でＬＥＤ３２４（又は他の光子源）に隣接して終端させるように構成されている。
【００４３】
図９Ｂは、図９Ａに示される空洞３２６の壁３３２のセンサ３２８を示す、光源３２２の端面図を表している。同じく図９Ｂを参照して、センサ３２８は、光源３２２内に位置づけられた細長部材３０２の存在を感知するように構成されていてもよい。図６に関連して説明されているセンサ２２８と同様に、センサ３２８は、細長部材３０２との機械的接触を介して細長部材３０２を感知するスイッチ、トグル、又はボタンの様な物理的センサであってもよい。他の実施形態では、センサ３２８は、赤外線センサ、ＵＶセンサ、レーザーセンサ、又は細長部材３０２と放射信号の間の干渉を介して細長部材３０２を感知する他のセンサの様な光学センサであってもよい。
【００４４】
描かれている実施形態では、センサ３２８は、光源３２２のクリップ３３４によって力が細長部材３０２へ加えられたときに細長部材３０２によって押圧される。クリップ３３４は、ヒンジ型接続３３６周りに可動式に光源３２２へ接続されることができる。ヒンジ型接続３３６は、クリップ３３４を閉じるように及び／又はクリップ３３４を光源３２２に対して閉じた状態に保持するように付勢されていてもよい。ヒンジ型接続３３６の付勢は、細長部材３０２をセンサ３２８に押し当てて圧縮するのに十分な力を、クリップ３３４を通して加えることができる。ヒンジ型接続３３６の付勢は、使用者が光源３２２を解放したときに、光源３２２を細長部材３０２上に維持するのに十分な力を、クリップ３３４を通して加えることができる。換言すれば、使用者は光源３２２を細長部材３０２上へ挟み付けたら、光源３２２は、使用者が光源３２２を支え続けなくても細長部材３０２上の所定場所に留まることができるのである。
【００４５】
図１０Ａは、別の実施形態のＩＶ輸液ライン組立体４００の横断面図を描いている。細長部材４０２は、細長部材４０２の中心を貫く導管４１８を画定しており、光学部材４０４が細長部材４０２の外面と接触して位置づけられている。幾つかの実施形態では、光学部材４０４は細長部材４０２の外面へ固定されていてもよい。他の実施形態では、光学部材４０４は細長部材４０２に対して長手方向に滑動可能であってもよい。換言すれば、光学部材４０４は、細長部材４０２を周って周方向に位置づけられはするが細長部材４０２へ固定されていなくてもよいということだ。
【００４６】
図１０Ｂは、ＩＶ輸液ライン組立体４００の実施形態の縦断面図を描いている。その様な実施形態では、光学部材４０４は細長部材４０２の端の手前で終端していてもよく、又はＩＶ輸液ライン組立体４００の終端は医療機器又は患者によって隠され又は覆われていてもよい。その様な実施形態では、光は、図１０Ｂに示されているインカップリング回折格子４３８の様な１つ又はそれ以上の回折光学要素を通して横断方向に光学部材４０４へ提供されることができる。インカップリング回折格子４３８は、光を或る角度で屈折させ光が光学部材４０４内を長手方向に伝搬することを可能にさせる複数のウェッジ又は他のレンズを含んでいる。
【００４７】
ここに説明されている様に、光学部材と細長部材は、使用者が少なくとも光学部材の一部分を細長部材から脱着できるようにするために選択的に分離可能であってもよい。図１１は、光学部材５０４が細長部材５０２から脱着されていて、細長部材５０２がフィルタ５４０を通って方向決めされるＩＶ輸液ライン組立体５００の実施形態を描いている。フィルタ５４０は、細長部材５０２の内容物（即ち、治療用流体）を濾過するように構成されており、一方、光学部材５０４はフィルタ５４０を周って連続していてフィルタ５４０の反対側で細長部材５０２に再接合している。
【００４８】
図１２は、光学部材６０４が細長部材６０２から脱着されていて、細長部材６０２がロータリーポンプ６４２を通って方向決めされるＩＶ輸液ライン組立体６００の実施形態を描いている。ロータリーポンプ６４２は、細長部材５０２の内容物（即ち、治療用流体）を長手方向に推進させるべく細長部材６０２へ力を加えるように構成されている。光学部材６０４は、ロータリーポンプ６４２を周って連続していてロータリーポンプ６４２の反対側で細長部材６０２に再接合している。
【００４９】
ここに説明されているＩＶ輸液ラインの実施形態の少なくとも幾つかは、使用者が臨床環境でＩＶ輸液ラインの長さを識別するために光源を使用してＩＶ輸液ラインを照らすことを可能にさせる。ＩＶ輸液ラインは、従来のアダプタ及び機器に含まれそれらと共に使用される使い捨て式の細長部材及び光学部材とすることができる。
【００５０】
図１３は、或る代替的な実施形態の輸液ライン組立体８００を描いている。ここに説明されている他の実施形態と同じく、輸液ライン組立体８００は、細長部材８０２と、細長部材８０２の第１端８０６（例えば、ＩＶバッグ８６０及び関連づけられた流体入力部の近傍）に配置された第１の光源８２２と、を含んでいる。この実施形態では、光学部材は省略されており、その代わりに、輸液ライン組立体８００は、細長部材８０２の第２端８０８（例えば、流体出力部及び患者ポート８６２の近傍）に配置された第２の光源８２３を含んでいる。第２の光源８２３は、通信的に第１の光源８２２へ連結されている。こうして、描かれている実施形態は、第１の光源８２２によって第１端８０６にて生成された光を第２端８０８へ伝達するのに光学部材を用いるのではなく、描かれている実施形態は、２つの動作的及び通信的に連結された光源８２２と光源８２３を利用して、細長部材８０２の一端にて生成される光信号が細長部材８０２の反対側の端にて生成される対応した光信号を有することを確実にする。
【００５１】
第１の光源８２２と第２の光源８２３は、無線接続／リンクを介して、動作的及び通信的に連結されていてもよい。例えば、第１の光源８２２と第２の光源８２３は超高周波電波無線リンク（例えば、Ｂｌｕｅｔｏｏｔｈ（登録商標））、Ｗｉ−Ｆｉ、又は他の適切な無線通信プロトコルを使用してペアリングされることができる。
【００５２】
使用時、第１の光部品（第１の光源８２２の形態をしている）は、細長部材８０２の第１端８０６近傍に位置づけられ、第２の光部品（第２光源８２３の形態をしている）は、細長部材８０２の第２端８０８近傍に位置づけられる。第１の光部品と第２の光部品は、どちらかが起動されると他方も同様に起動されるように互いへ（例えば、無線通信リンクを介して）動作的に連結されている。この方式では、使用者は第１の光源８２２又は第２の光源８２３を起動することができ、すると他方の光源も自動的に起動されることになり、端８０６と端８０８のそれぞれが同じ細長部材８０２に属していることを確証する視覚的な表示が提供されるのである。上述のように、この視覚的な表示は、輸液ラインの誤った識別並びに関連の事故及び患者リスクを防ぐことができる。例えば、介護人が素早く容易にシステムを使用して、どの輸液ライン及び／又は薬がどの患者の静脈へ装着されているのかを識別することができ、それにより正しいセットアップを迅速且つ安全に識別できるようになる。
【００５３】
図１４に示されている様に、輸液ラインシステムは、更に、細長部材８０２へ取り付け可能であるか又は動作的に連結されたポンプ組立体８４２を随意的に含むことができる。ポンプ組立体８４２は、蠕動ポンプか又は細長部材８０２を通して流体を動かす他の適切な手段として提供されることができる。第１の光源８２２又は第２の光源８２３又はポンプ組立体８４２の何れか１つの起動が、他の２つの素子の起動を生じさせるように、ポンプ組立体８４２は、更に、第１の光源８２２及び第２の光源８２３へ通信的に（前述の無線リンクを介して）連結されていてもよい。例えば、ポンプ組立体は、使用者がコントローラ８４０ａを作動させたときに起動されるようになっていてもよい（「コントローラ」という用語は、本明細書では同義的に「手動スイッチ」とも称する）。コントローラ８４０ａは、押しボタン、トグル、スイッチ、スライダー、ノブとして、又はデバイスを選択的に起動するための他の適切な手段として提供されることができる。
【００５４】
起動され次第、ポンプ組立体８４２は、デバイスが起動されたことを示唆する視覚的なインジケータを表示するようになっていてもよい。例えば、デバイスの起動を示唆するべくライト８２４ａがオンになってもよい。幾つかの実施形態では、ライト８２４ａは、コントローラ８４０ａから分離されている。他の実施形態では、ライト８２４ａは、コントローラ８４０ａ自体に含まれていてもよい。例えば、コントローラ８４０ａは、起動されたときに点灯し再度押下されるとオフになる押しボタンであってもよい。
【００５５】
ポンプ組立体８４２が起動されると、第１の光源８２２及び第２の光源８２３の対応する視覚的インジケータ（例えば、図１５に示されているライト８２４ｂ）も自動的に起動される。輸液ラインシステム８００は、必ずしもポンプ組立体８４２のコントローラ８４０ａを作動させることによって起動される必要があるわけではない。例えば、使用者は、第１の光源８２２又は第２の光源８２３又はポンプ組立体８４２の何れかを起動して、他の２つの素子の対応するインジケータ（例えば、光信号）の起動をトリガさせることができる。この方式では、使用者は、どれであれ最も近い素子を或いは起動させるのに最も都合の良い素子を起動することができ、そうすることによってシステムの通信的にリンクされている全ての他の素子を自動的に起動することができる。
【００５６】
示されている様に、ポンプ組立体８４２は、更に、光源８２２及び／又は光源８２３を受け入れるように構成された１つ又はそれ以上のステーション８５０を含んでいてもよい。ステーション８５０は、光源８２２及び／又は光源８２３が差し込まれるか又は他のやり方で取り付けられるときに光源８２２及び／又は光源８２３の内部のバッテリ／複数バッテリを充電するための充電ポートとして構成されていてもよい。ポンプ組立体８４２自体は、壁のコンセントへの有線接続によってパワー供給されてもよいし、自身の内部バッテリを含んでいてもよい。
【００５７】
幾つかの実施形態では、ポンプ組立体８４２は、可聴アラームを提供することのできるスピーカー８５４を含んでいる。例えば、リンクされた光源の何れかに低バッテリ状態が検知されたとき、スピーカー８５４は、付近の使用者に素子を交換するか又はそれ以外に注視する必要を知らせる可聴アラームを提供するようにトリガされることができる。アラームは、追加的又は代替的に、ポンプ組立体８４２又は光源８２２、８２３のうちの１つ又はそれ以上にてライトを点滅させる、他の関連づけられたデバイスその他へエラーメッセージを送信する、といった様な他のインジケータを含むこともできる。ポンプ組立体８４２のスピーカー８５４に加えて又はその代替として、光源８２２、８２３のどちらか又は両方がスピーカーを含んでいてもよい。しかしながら、典型的な実施形態は光源８２２、８２３のスピーカーを省略することになろう。
【００５８】
幾つかの実施形態では、輸液ラインシステム８００の１つ又はそれ以上の素子はキットとしてまとめて提供されている。例えば、２つの光源８２２と光源８２３は、対として一緒にパッケージ化されてもよい。好ましくは、２つの関連づけられた光源の無線ペアリング／リンキングは、パッケージ化の前に確立させておきたい、そうすれば、素子は開封後ただちに使用できる準備の整った状態になる。パッケージ化前のペアリング／リンキングは、使用中のエラーのリスクを低減することもでき、というのも、使用者が１対又はそれ以上の対の光源を対応する輸液ラインへ設置する際に手動で光源をペアリングする必要がなくなるからである。幾つかの実施形態では、キットは、１対の光源とポンプ組立体８４２とを含んでいる。先と同じく、これらの素子は、それらがより容易に使用され、誤った設置若しくはペアリングに関連するリスクが低減されるように、パッケージ化の前に無線式にペアリング／リンキングされていることが望ましい。その様なキットの何れかは、更に、ポンプや輸液ラインを滅菌するのに典型的に使用される非加熱殺菌プロセスの様な、技術的に知られている適切な殺菌プロセスを使用して滅菌されるのが望ましい。
【００５９】
図１５は、一方の光源８２２の詳細図を描いている。それぞれの光源８２２、８２３は、典型的には、大きさ、形状、及び構造が類似しているだろうから、第１の光源８２２のみが示されている。しかしながら、第２の光源８２３は、描かれているものと同じ素子及び特徴を含んでいるものと理解しておきたい。光源８２２は、本明細書に説明されている他の光源実施形態の何れかを含んでいてもよい。例えば、光源８２２は、細長部材８０２への有効な取り付けを可能にするために、図７Ａ及び７Ｂに示されているクリップ特徴部の何れかを含んでいてもよい。或る典型的な実施形態では、光源８２２は１つ又はそれ以上の内部バッテリを含んでいるだろうが、壁のコンセントへの直接的電気接続の様な他の電源が追加的又は代替的に利用されることもできる。
【００６０】
随意的なポンプ組立体８４２と同じく、光源８２２は、ライト８２４ｂの形態をしている視覚的インジケータ及び対応するコントローラ８４０ｂ（本明細書では同義的に「手動スイッチ」とも称する）を含んでいる。コントローラ８４０ｂが作動されると、ライト８２４ｂが起動され、他方の通信的にリンクされた光源（及び該当する場合はポンプ組立体８４２）の対応する視覚的インジケータも自動的に起動される。ポンプ組立体８４２に関して説明されている様に、ライト８２４ｂとコントローラ８４０ｂは、示されている様に別々の特徴であってもよいし、又は代替的には、起動されると点灯する押しボタンの様な１つの手動的に起動させることのできる素子へ組み合わされていてもよい。
【００６１】
現時点で好適な実施形態は、更に、意図される使用より前のデバイスの偶発的な起動及び／又はバッテリの消耗を防ぐように構成されたバッテリ保安器８５２を含んでいる。バッテリ保安器８５２は、内部電気回路を遮断しデバイスの出荷中及び保管中の起動を防止するために光源８２２の中へ部分的に延びる薄い紙、フィルム、又は他のその様な構造とすることができる。例えば、バッテリ保安器８５２は、典型的には、バッテリの表面を横切ってバッテリと端子コネクタの間を延びる。
【００６２】
バッテリ保安器８５２の一部分（図１５に見える部分）は、光源８２２の筐体より向こうまで延び、使用者がバッテリ保安器８５２を掴み、それを引っ張って光源８２２から剥がすことができるようにしている。これにより、光源８２２の内部回路は閉じられ、デバイスの始動が許容されることになる。始動し次第、デバイスの無線通信素子（例えば、Ｂｌｕｅｔｏｏｔｈ（登録商標）素子の様な超高周波電波無線素子）は、デバイスに、自身の関連づけられた素子（他方の光源及び随意的なポンプ組立体）を探し出させ、それらに対する通信リンクを確立しようとさせる。全ての素子が始動されたら、通信リンクが確立され、それら素子は使用に向けて準備が整うことになる。（単数又は複数の）バッテリは、光源の動作が、大抵は約９６時間である標準的ＩＶバッグの持続時間に持ちこたえるように設計されていてもよい。
【００６３】
所定の実施形態は、始動時に視覚的インジケータが自動的に起動するように構成されていてもよい。追加的又は代替的に、起動及び動作停止は、上記によって説明されている様にコントローラ８４０ａ、８４０ｂの作動を通して選択的に制御されるようになっていてもよい。
【００６４】
幾つかの実施形態では、通信的にリンクされた素子の各セットの視覚的インジケータは、通信的にリンクされた素子の他のセットから区別するための対応する特徴を有している。例えば、リンクされた光源の１つの対は、起動されたときに第１の色の光を有し、リンクされた光源の別の対は、起動されたときに第２の異なる色の光を有するようになっていてもよい。
【００６５】
上記実施形態は２つの光源に関連して説明されているが、他の光源が追加的に含まれることもできると理解しておきたい。例えば、幾つかの実施形態は、細長部材８０２の端間の中間位置に位置づけられた１つ又はそれ以上の光源の様な、細長部材８０２の長さにまたがる一連の通信的にリンクされた光源を含んでいてもよい。
【００６６】
原文の冠詞「ａ」、「ａｎ」、及び「ｔｈｅ」の対訳である「或る」及び「当該」は、前記説明の中の要素について１つ又はそれ以上の要素が存在することを意味するものとする。「備える」、「含む」、及び「有する」という用語は、包含的であるものとし、記載されている要素以外に追加の要素が存在し得ることを意味する。加えて、理解しておくべきこととして、本開示の「１つの実施形態」又は「或る実施形態」への言及は、同じく記載の特徴を組み入れている追加の実施形態の存在を排除するものと解釈されることを意図していない。本開示の実施形態によって網羅される技術分野の当業者には認識される様に、本明細書中に表示されている数、パーセンテージ、比、又は他の値は、当該値を含み、更には、「約」表示値又は「大凡」表示値である他の値も含むものとする。したがって、表示値は、所望の機能を遂行するうえで又は所望の結果を実現するうえで少なくとも表示値に十分に近いとされる値を網羅するように十分に広く解釈されるべきである。表示値は、少なくとも、適切な製造又は生産プロセスにおいて予想され得る偏差を含み、表示値の５％以内、１％以内、０．１％以内、又は０．０１％以内にある値を含み得る。
【００６７】
当業者には、本開示に鑑みて、等価的構築は本開示の精神及び範囲から逸脱しないこと、そして本明細書に開示されている実施形態に対し、本開示の精神及び範囲から逸脱することなく様々な変更、代替、及び改変がなされ得ることが認識されるはずである。機能的な「手段プラス機能」の条項を含む等価的構築は、同じ方式で動作する構造的等価物と同じ機能を提供する等価的構造物の両方を含め、記載の機能を遂行するとしてここに説明されている諸構造を包含するものとする。何れかの請求項について、「○○のための手段」という語が関連づけられた機能と一体に登場している場合を除き、手段プラス機能又は他の機能的主張を行使しないというのが出願人の明確な意思である。実施形態に対するそれぞれの追加、削除、及び修正で特許請求の範囲の意味及び範囲の内に入るものは、特許請求の範囲によって包括的にとらえられるものとする。
【００６８】
本明細書での使用に際し「大凡」、「約」、及び「実質的に」という用語は、表示量に近い量であって、なおも所望の機能を遂行し又は所望の結果を実現する量を表す。例えば、「大凡」、「約」、及び「実質的」という用語は、表示量の９５％以内、９９％以内、９９．９％以内、又は９９．９９％以内にある量を指すとしてもよい。また、上記説明での何れかの方向又は基準座標系は、相対的な方向又は相対的な運動でしかないことを理解されたい。例えば、「上」と「下」、又は「上方」と「下方」は、関係づけられた要素の相対位置又は相対運動を記述しているにすぎない。
【００６９】
本明細書に描写され及び／又は説明されている何れかの実施形態に関連して記述された要素は、本明細書に描写され及び／又は説明されている何れかの他の実施形態に関連して記述された要素に代わるか又はそれと組み合わされることもあり得る。例えば、図７の光源７２２に関連して説明された素子又は特徴の何れかが、ＩＶ輸液ライン組立体２００に関連して説明された素子又は特徴の何れかに代るか又はそれと組み合わされることもできるし、その反対も然りである。
【００７０】
本発明は、その精神又は特性から逸脱することなく、他の特定の形態に具現化されてもよい。説明された実施形態は、あらゆる点で、例示的であり限定的ではないと考えられるべきである。したがって本発明の範囲は、上記説明によってではなく付随の特許請求の範囲によって示される。特許請求の範囲の意味と等価性の範囲の内に入る全ての変更は特許請求の範囲の範囲内に網羅されるものとする。
【符号の説明】
【００７１】
１００  ＩＶ輸液ライン組立体
１０２  細長部材
１０４  光学部材
１０６  治療用流体入力部
１０８  治療用流体出力部
１１０  光学部材の第１端
１１２  光学部材の第２端
１１４  細長部材の外面
１１６  細長部材の内面
１１８  導管
１２０  流体
１３０  ライン締結具、剛性クランプ
１３１  第１の開口部
１３２  第２の開口部
１４０  第１の溝
１４１  第２の溝
１４２  第３の溝
２００  ＩＶ輸液ライン組立体
２０２  細長部材
２０４  光学部材
２１０  光学部材の第１端
２２２  光源
２２４  発光ダイオード（「ＬＥＤ」）
２２６  空洞
２２８  センサ
２３０  空洞の後端
２４０  押しボタン
２５０  Ｏリングスロット
２５１  Ｏリング
３００  ＩＶ輸液ライン組立体
３０２  細長部材
３０４  光学部材
３１０  光学部材の第１端
３２２  光源
３２４  ＬＥＤ
３２６  空洞
３２８  センサ
３３２  壁
３３４  クリップ
３３６  ヒンジ型接続部
４００  ＩＶ輸液ライン組立体
４０２  細長部材
４０４  光学部材
４１８  導管
４３８  インカップリング回折格子
５００  ＩＶ輸液ライン組立体
５０２  細長部材
５０４  光学部材
５４０  フィルタ
６００  ＩＶ輸液ライン組立体
６０２  細長部材
６０４  光学部材
６４２  ロータリーポンプ
７０２  細長部材
７２２  光源
７６１  第１のクリップ
７６２  第２のクリップ
７６３  第３のクリップ
７７１  第１の開口部
７７２  第２の開口部
７７３  第３の開口部
８００  輸液ライン組立体
８０２  細長部材
８０６  細長部材の第１端
８０８  細長部材の第２端
８２２  第１の光源
８２３  第２の光源
８２４ａ、８２４ｂ  ライト
８４０ａ、８４０ｂ  コントローラ
８４２  ポンプ組立体
８５０  ステーション
８５２  バッテリ保安器
８５４  スピーカー
８６０  ＩＶバッグ
８６２  流体出力部及び患者ポート
【図１】
2021516076.tif 000003
【図２】
2021516076.tif 000004
【図３Ａ】
2021516076.tif 000005
【図３Ｂ】
2021516076.tif 000006
【図３Ｃ】
2021516076.tif 000007
【図３Ｄ】
2021516076.tif 000008
【図３Ｅ】
2021516076.tif 000009
【図３Ｆ】
2021516076.tif 000010
【図３Ｇ】
2021516076.tif 000011
【図３Ｈ】
2021516076.tif 000012
【図３Ｉ】
2021516076.tif 000013
【図３Ｊ】
2021516076.tif 000014
【図３Ｋ】
2021516076.tif 000015
【図４】
2021516076.tif 000016
【図５】
2021516076.tif 000017
【図６】
2021516076.tif 000018
【図７Ａ】
2021516076.tif 000019
【図７Ｂ】
2021516076.tif 000020
【図８】
2021516076.tif 000021
【図９Ａ】
2021516076.tif 000022
【図９Ｂ】
2021516076.tif 000023
【図１０Ａ】
2021516076.tif 000024
【図１０Ｂ】
2021516076.tif 000025
【図１１】
2021516076.tif 000026
【図１２】
2021516076.tif 000027
【図１３】
2021516076.tif 000028
【図１４】
2021516076.tif 000029
【図１５】
2021516076.tif 000030
【国際調査報告】
2021516076.tif 000031
2021516076.tif 000032
2021516076.tif 000033
2021516076.tif 000034